(57)【要約】【課題】印刷等により絵柄が表面に表された基材について、視る者に従来にない斬新な視覚的効果を与えることを可能とする照明システムを提供すること。【解決手段】絵柄２０が表面１１ａに表された基材１１と、前記基材１１の表面１１ａに近紫外線Ｂ２を照射可能とする近紫外線光源１３とを備え、前記基材１１は、近紫外線Ｂ２の照射により蛍光可能な蛍光塗料１５が前記絵柄２０に応じた領域に塗布されている。前記蛍光塗料１５は、前記絵柄２０中において発光する部位として表された領域に選択的に塗布されていることを特徴とする。これにより、基材１１の絵柄２０中において発光する部位として表されているに過ぎない箇所が、近紫外線Ｂ２の照射によりあたかも現実に発光しているかのような斬新な視覚的効果を得ることが可能となる。【選択図】図４
0003165286.tif 000002
【実用新案登録請求の範囲】
【請求項１】
絵柄が表面に表された基材と、
前記基材の表面に近紫外線を照射可能とする近紫外線光源とを備え、
前記基材は、近紫外線の照射により蛍光可能な蛍光塗料が前記絵柄に応じた領域に塗布されていること
を特徴とする照明システム。
【請求項２】
前記絵柄は、前記基材の表面に写真画像が印刷されて表されていること
を特徴とする請求項１記載の照明システム。
【請求項３】
前記蛍光塗料は、前記絵柄中において発光し得る部位として表された領域に応じて選択的に塗布されていること
を特徴とする請求項１又は２記載の照明システム。
【請求項４】
前記絵柄は、白色光が照射されたときに昼間の風景として視認されるように表され、
前記蛍光塗料は、白色光を照射せずに近紫外線を照射したときに前記絵柄が夜間の風景として視認されるように、当該絵柄中において発光し得る部位として表された領域に応じて選択的に塗布されていること
を特徴とする請求項１〜３の何れか１項記載の照明システム。
【考案の詳細な説明】
【技術分野】
【０００１】
本考案は、絵柄が表面に表された基材を照明する照明システムに関するものである。
【背景技術】
【０００２】
従来より、屋内空間等の壁面についての装飾性を高めるために、印刷等により絵柄が表面に表された基材をその壁面等に取り付ける場合がある。このような絵柄は白色光の照射等による反射光により視認することが可能となり、これにより視る者に絵柄の内容に応じた視覚的効果が与えられることになる。
【考案の概要】
【考案が解決しようとする課題】
【０００３】
しかしながら、従来の基材に表された絵柄は、あくまで白色光の照射等による反射光により視る者に視覚的効果を与えるものとされているが、技術革新の求められる昨今においては、これとは異なる手法により視る者に新しい視覚的効果を与えることを可能とすることが求められている。
【０００４】
そこで、本考案は、上述した問題点に鑑みて案出されたものであり、その目的とするところは、印刷等により絵柄が表面に表された基材について、視る者に従来にない斬新な視覚的効果を与えることを可能とする照明システムを提供することにある。
【課題を解決するための手段】
【０００５】
本考案者は、上述した課題を解決するために、鋭意検討の末、下記の照明システムを考案した。
【０００６】
第１考案は、絵柄が表面に表された基材と、前記基材の表面に近紫外線を照射可能とする近紫外線光源とを備え、前記基材は、近紫外線の照射により蛍光可能な蛍光塗料が前記絵柄に応じた領域に塗布されていることを特徴とする。
【０００７】
第２考案は、第１考案において、前記絵柄は、前記基材の表面に写真画像が印刷されて表されていることを特徴とする。
【０００８】
第３考案は、第１考案又は第２考案において、前記蛍光塗料は、前記絵柄中において発光し得る部位として表された領域に応じて選択的に塗布されていることを特徴とする。
【０００９】
第４考案は、第１考案〜第３考案において、白色光が照射されたときに昼間の風景として視認されるように表され、前記蛍光塗料は、白色光を照射せずに近紫外線を照射したときに前記絵柄が夜間の風景として視認されるように、当該絵柄中において発光し得る部位として表された領域に応じて選択的に塗布されていることを特徴とする。
【考案の効果】
【００１０】
第１考案〜第４考案によれば、白色光の照射時と近紫外線の照射時とで異なる視覚的効果を得ることが可能となる。
【００１１】
第２考案によれば、写実的に表された写真画像についても上述のような視覚的効果を与えることが可能となっており、従来にない斬新な写真画像の表現手法を提供することが可能となっている。
【００１２】
第３考案によれば、基材の絵柄中において発光する部位として表されているに過ぎない箇所が、近紫外線の照射によりあたかも現実に発光しているかのような斬新な視覚的効果を得ることが可能となる。
【００１３】
第４考案によれば、白色光の照射時には昼間の風景を表し、白色光を照射せずに近紫外線の照射時には夜間の風景を表すことが可能となっているので、白色光の照射時と近紫外線の照射時とで異なる視覚的効果を得るという効果をより顕著に際立だせて発揮させることが可能となる。
【図面の簡単な説明】
【００１４】
【図１】第１実施形態に係る照明システムが適用された屋内空間の一例を示す側面断面図である。
【図２】第１実施形態に係る照明システムの構成を概略的に示す拡大側面断面図である。
【図３】第１実施形態に係る照明システムの基材の表面の絵柄を概略的に示す拡大正面図である。
【図４】第１実施形態に係る照明システムの動作を説明するための拡大正面図である。
【図５】（ａ）は第２実施形態に係る照明システムで用いられる額縁の構成を概略的に示す正面図であり、（ｂ）はその背面図である。
【図６】第２実施形態に係る照明システムで用いられる額縁の構成を概略的に示す平面断面図である。
【考案を実施するための形態】
【００１５】
以下、本考案を適用した照明システムを実施するための形態について、図面を参照しながら詳細に説明する。
【００１６】
図１は第１実施形態に係る照明システム１が適用された屋内空間３の一例を示す側面断面図であり、図２はその照明システム１の構成を概略的に示す拡大側面断面図であり、図３はその照明システム１の基材１１の表面１１ａの絵柄を概略的に示す拡大正面図であり、図４はその照明システム１の動作を説明するための拡大正面図である。
【００１７】
照明システム１は、絵柄２０が表面１１ａに表された基材１１と、基材１１の表面１１ａに近紫外線を照射可能とする近紫外線光源１３とを備えている。
【００１８】
照明システム１は、第１実施形態において、屋内空間３に適用されているが、この他にも屋外に適用されていてもよい。また、屋内空間３の天井壁面３ｂには、白色光を屋内空間３に照射する白色光源５が設置されている。
【００１９】
基材１１は、絵柄２０が表面１１ａに表されているものである。基材１１は、第１実施形態において、絵柄２０が表面１１ａに写真画像が印刷された紙から構成されており、絵柄２０は、写真画像が印刷されて表されていることになる。基材１１は、この他にも、絵柄２０が表面１１ａに表示されたディスプレイから構成されていてもよい。
【００２０】
基材１１の表面１１ａに表された絵柄２０は、第１実施形態においては、白色光が照射されたときに反射光により昼間の風景として視認されるように表されている。具体的には、絵柄２０は、第１実施形態において、昼間の空２５を背景として撮像されたオフィスビル２１や、そのオフィスビル２１に設けられた複数の窓ガラス２３が模様として表されている。そして、これらオフィスビル２１等の絵柄２０の模様は、昼間の風景として視認されるように、その色相、彩度、明度のような色彩が調整されたものが表されている。
【００２１】
近紫外線光源１３は、基材１１の表面１１ａに近紫外線を照射するものである。近紫外線光源１３は、第１実施形態において、基材１１の上方に配設されている。
【００２２】
近紫外線光源１３は、例えば、ブラックライトから構成される。近紫外線光源１３は、波長が３００〜４００ｎｍ程度の近紫外線を照射可能とするものである。
【００２３】
近紫外線光源１３は、第１実施形態において、蛍光灯として構成されているものを例示している。屋内空間３の側壁面３ａには取付フレーム３１が取り付けられており、この取付フレーム３１の下部３１ａにはソケット３３が取り付けられている。蛍光灯としての近紫外線光源１３は、このソケット３３に蛍光灯のランプピンを差し込むことにより屋内空拳３の側壁面３ａに取り付けられている。この取付フレーム３１の前部３１ｂには、側壁面３ａと反対側に向けて近紫外線光源１３から近紫外線が照射されるのを防止するための遮光板３５が設けられている。
【００２４】
ここで、第１実施形態に係る照明システム１は、近紫外線Ｂ１の照射により蛍光可能な蛍光塗料１５が絵柄２０に応じた領域に塗布されている。
【００２５】
蛍光塗料１５は、近紫外線Ｂ２の照射により蛍光して可視光を発する無機蛍光顔料を含有するものから構成されている。無機蛍光顔料としては、赤色蛍光顔料として、Ｙ2 Ｏ4 ：Ｅｕ、ＹｕＯ4 ：Ｅｕ、Ｙ2 Ｏ2 Ｓ：Ｅｕ等の１種単独又は２種以上の混合物を含有するもの、緑色蛍光顔料として、ＺｎＳ：Ｃｕ、Ａｌ、Ｚｎ2 ＳｉＯ4 ：Ｍｎ等の１種単独又は２種以上の混合物を含有するもの、青色蛍光顔料として、ＺｎＳ：Ａｇ、ＣａＷＯ4 、Ｙ2 ＳｉＯ5 ：Ｃｅ、Ｃａ2 Ｂ5 Ｏ9 Ｃｌ：Ｅｕ2+等の１種単独又は２種以上の混合物を含有するものが挙げられる。また、これらの赤色、緑色及び青色の各蛍光顔料を二種以上混合することにより、例えば、白色、黄色、紫色等の他の色の蛍光顔料が調製されていてもよい。また、蛍光塗料１５は、無機蛍光顔料の他に、普通色顔料が含有されていてもよい。また、蛍光塗料１５は、上述の顔料の他に、塗料として必要な樹脂、添加剤、溶剤が含有されている。
【００２６】
蛍光塗料１５は、基材１１の絵柄２０中において発光し得る部位として表された領域に応じて選択的に塗布されている。より詳細には、蛍光塗料１５は、白色光を照射せずに近紫外線を照射したときに、その蛍光により絵柄２０が夜間の風景として視認されるように、基材１１の絵柄２０中において発光し得る部位として表された領域に応じて選択的に塗布されている。この基材１１の絵柄２０中において発光し得る部位としては、例えば、第１実施形態のように、オフィスビル２１等の建築物の窓ガラス２３や、月２７や星２９が位置し得る空２５の一部が挙げられ、これらの部位に蛍光塗料１５が塗布される。また、この他にも、第１実施形態のように、基材１１の絵柄２０中において発光し得る部位である窓ガラス２３の表された領域に対応して、その窓ガラス２３の周囲や、図示はしないが月２７や星２９により照射され得る部位にも蛍光塗料１５が塗布されていれば、発光し得る部位からの光がその周囲にも照射されているように表されることになる。
【００２７】
このとき、基材１１の表面１１ａに表された絵柄２０は、白色光が照射されたときの反射光により昼間の風景として視認されるように、その模様が既に表されている。このため、夜間の風景として視認されるようにするうえでは、白色光が照射されていないときの基材１１の絵柄２０の模様、色彩等を考慮したうえで、基材１１に塗布される蛍光塗料１５の色相、彩度、明度のような色彩の他、模様等を調整することにより実現されることになる。このとき、基材１１の表面１１ａにおいて蛍光塗料が塗布されていない領域については、近紫外線光源１３に僅かに含まれる可視光線や周囲の物体からの環境光等により、白色光が照射されていなくともその絵柄２０の模様、色彩等を視認可能となり、ひいては、白色光が照射されていなくとも、これらの環境光等や蛍光塗料１５の蛍光により絵柄２０の全体を視認可能となる。
【００２８】
これにより、第１実施形態においては、図３、図４に示すように、近紫外線Ｂ２を照射したときの蛍光塗料１５の蛍光により、絵柄２０中において発光し得る部位として表されている窓ガラス２３やその周囲が発光したり、空２５の一部が月２７や星２９として表されるように発光し、絵柄２０の全体が夜間の風景として視認されるように表されることになる。
【００２９】
なお、蛍光塗料１５は、第１実施形態のように、白色光を照射したときに蛍光しないように普通色顔料が含有されていないことが好ましく、これにより、白色光を照射せずに近紫外線を照射したときにはじめて蛍光塗料１５の塗布された領域の模様、色彩を視認させることが可能となる。
【００３０】
以上の第１実施形態によれば、白色光の照射時と近紫外線の照射時とで異なる視覚的効果を得ることが可能となる。また、基材１１の絵柄２０中において発光する部位として表されているに過ぎない箇所が、近紫外線Ｂ２の照射による蛍光塗料１５の蛍光によりあたかも現実に発光しているかのような斬新な視覚的効果を得ることが可能となる。
【００３１】
また、第１実施形態によれば、白色光の照射時には昼間の風景を表し、白色光を照射せずに近紫外線の照射時には夜間の風景を表すことが可能となっているので、白色光の照射時と近紫外線の照射時とで異なる視覚的効果を得るという効果をより顕著に際立だせて発揮させることが可能となる。
【００３２】
また、第１実施形態によれば、基材１１の表面に写真画像が印刷された絵柄２０が表されており、写実的に表された写真画像についても上述のような視覚的効果を与えることが可能となっており、従来にない斬新な写真画像の表現手法を提供することが可能となっている。
【００３３】
次に、本考案の第２実施形態に係る照明システム１について説明する。なお、上述した構成要素と同一の構成要素については、同一の符号を付すことにより以下での説明を省略する。
【００３４】
図５（ａ）は第２実施形態に係る照明システム１で用いられる額縁４１の構成を示す正面図であり、（ｂ）はその背面図であり、図６はその平面断面図である。
【００３５】
第２実施形態に係る照明システム１は、基材１１の表面１１ａを外部から視認可能な状態として基材１１を収納するための額縁４１を更に備えている。額縁４１は、中央部が開口されて矩形状に組まれた枠体４３と、枠体４３の背面側の開口から基材１１を嵌め込んで収納する凹状収納部４５とを備えている。凹状収納部４５に嵌め込まれた基材１１は、凹状収納部４５の凹底面４５ａにその表面１１ａが当接された状態となる。この状態の基材１１は、更に枠体４３の背面側の開口から背面板４７を嵌め込んだうえで、枠体４３の背面に取り付けられた留め具４４を背面板４７の背面にスライドさせることにより、枠体４３に対して固定される。
【００３６】
この額縁４１は、枠体４３の内周部４３ａに近紫外線光源１３として構成される複数の発光ダイオード１７が取り付けられている。複数の発光ダイオード１７は、図示しない外部電力等の電源装置から電力を供給可能に構成されている。
【００３７】
複数の発光ダイオード１７は、枠体４３の内周部４３ａの相対向する部位において、その上下方向の位置又は左右方向の位置が重ならないように、上下に相対向する部位のものは左右に交互に位置をずらして、左右に相対向する部位のものは上下に交互に位置をずらして取り付けられている。これにより、直進性のある近紫外線Ｂ２を発光する発光ダイオード１７でも、少ない個数により基材１１の表面１１ａの広い範囲に亘って近紫外線を照射することが可能となる。
【００３８】
第２実施形態に係る照明システム１によれば、額縁４１に収納された基材１１に対して、額縁４１に取り付けられた発光ダイオード１７により近紫外線Ｂ２を照射することが可能となるので、近紫外線光源１３を別途設けることなく本考案所期の機能を発揮することが可能となる。
【００３９】
以上、本考案の実施形態の例について詳細に説明したが、前述した実施形態は、何れも本考案を実施するにあたっての具体化の例を示したものに過ぎず、これらによって本考案の技術的範囲が限定的に解釈されてはならないものである。
【符号の説明】
【００４０】
１              ：照明システム
３              ：屋内空間
５              ：白色光源
１１            ：基材
１３            ：近紫外線光源
１５            ：蛍光塗料
１７            ：発光ダイオード
２０            ：絵柄
２１            ：オフィスビル
２３            ：窓ガラス
３１            ：取付フレーム
３３            ：ソケット
３５            ：遮光板
４１            ：額縁
Ｂ１            ：白色光
Ｂ２            ：近紫外線
【図１】
0003165286.tif 000003
【図２】
0003165286.tif 000004
【図３】
0003165286.tif 000005
【図４】
0003165286.tif 000006
【図５】
0003165286.tif 000007
【図６】
0003165286.tif 000008